(57)【要約】【課題】ホールランタンの保守点検作業などを全て乗場側から実行できるようにする。【解決手段】それぞれ箱形の縦部材および横部材で構成された三方枠に蝶番によって開閉可能に取り付けられる光透過性の開閉パネルと、三方枠内に配置されて開閉パネルを照射する光源と、開閉パネルを閉位置に保持する施錠装置とを備えたエレベータのホールランタンにおいて、開閉パネルおよび蝶番が、開閉パネルが乗場側に開くように三方枠の乗場側面内に配置されていて、施錠装置が三方枠と開閉パネルとの間の間隙から挿入できる工具で乗場側から開操作できる。【効果】ホールランタンへの作業が乗場側からできる。【選択図】図３
2011001176.tif 000002
【特許請求の範囲】
【請求項１】
それぞれ箱形の縦部材および横部材で構成された三方枠に蝶番によって開閉可能に取り付けられる光透過性の開閉パネルと、上記三方枠内に配置されて上記開閉パネルを照射する光源と、上記開閉パネルを閉位置に保持する施錠装置とを備えたエレベータのホールランタンにおいて、
上記開閉パネルおよび上記蝶番が、上記開閉パネルが上記乗場側に開くように上記三方枠の乗場側面内に配置されていて、
上記施錠装置が、上記三方枠と上記開閉パネルとの間の間隙を通して挿入できる工具によって開操作できることを特徴とするエレベータのホールランタン。
【請求項２】
上記間隙が、上記蝶番を可動にするための蝶番部分の間隙であることを特徴とする請求項１に記載のエレベータのホールランタン。
【請求項３】
上記光源が上記開閉パネルに取り付けられていることを特徴とする請求項１あるいは２に記載のエレベータのホールランタン。
【請求項４】
上記光源が、上記開閉パネルに対して照射位置と展開位置との間で可動であることを特徴とする請求項１〜３のいずれか一項に記載のエレベータのホールランタン。
【請求項５】
上記開閉パネルが、上記蝶番によって上記三方枠に連結されたパネル本体と、上記パネル本体に取り付けられた光透過性レンズとを備えていることを特徴とする請求項１〜４のいずれか一項に記載のエレベータのホールランタン。
【請求項６】
上記開閉パネルを上記三方枠に対して磁気吸引力により閉位置に保持する永久磁石を備えたことを特徴とする請求項１〜５のいずれか一項に記載のエレベータのホールランタン。
【発明の詳細な説明】
【技術分野】
【０００１】
この発明はエレベータのホールランタンに関するものである。
【背景技術】
【０００２】
従来のエレベータのホールランタンは、三方枠に取り付けられていて、乗場の乗客にかごの到着を点灯により知らせるためのものであり、据付作業あるいは保守点検作業は乗場側からではなく、昇降路側から三方枠の一部を開いて行っていた。また、このような昇降路側からの作業の不都合を改善するために、乗場三方枠と建物壁との間に、乗場側からアクセスできる隙間を設けて、そこに開錠棒を入れてホールランタン部を開いて作業をできるようにすることが提案されている（例えば特許文献１参照）。
【先行技術文献】
【特許文献】
【０００３】
【特許文献１】特開２００１−１６３５３８号公報
【発明の概要】
【発明が解決しようとする課題】
【０００４】
しかしながら、このような従来のエレベータのホールランタンに於いては、三方枠を開けるために解錠棒を挿入するための隙間を乗場三方枠と建物壁との間に設けることは、建物の建築施工上あるいは意匠上の理由から不可能なことがあり、この構造を採用できないことがあった。そのような場合には昇降路側から作業をしなければならないという不都合があった。
【０００５】
従ってこの発明の目的は、エレベータ三方枠に取り付けたホールランタンに対する作業が全て乗場側から実行できるエレベータのホールランタンを提供することである。
【課題を解決するための手段】
【０００６】
この発明のエレベータのホールランタンは、それぞれ箱形の縦部材および横部材で構成された三方枠に蝶番によって開閉可能に取り付けられる光透過性の開閉パネルと、上記三方枠内に配置されて上記開閉パネルを照射する光源と、上記開閉パネルを閉位置に保持する施錠装置とを備えたエレベータのホールランタンにおいて、上記開閉パネルおよび上記蝶番が、上記開閉パネルが上記乗場側に開くように上記三方枠の乗場側面内に配置されていて、上記施錠装置が、上記三方枠と上記開閉パネルとの間の間隙を通して挿入できる工具によって開操作できることを特徴とするものである。
【発明の効果】
【０００７】
この発明のエレベータのホールランタンによれば、ホールランタンへの作業が乗場側からできるという効果が得られる。
【図面の簡単な説明】
【０００８】
【図１】この発明のエレベータのホールランタンを採用したエレベータの乗場三方枠を示す概略正面図である。
【図２】図１の線ＩＩ−ＩＩに沿ったエレベータのホールランタンの部分概略側面図である。
【図３】図１の線ＩＩＩ−ＩＩＩに沿ってエレベータのホールランタンが閉位置にある状態を示す断面図である。
【図４】エレベータのホールランタンが開位置にある状態を示す図３と同様の断面図である。
【図５】エレベータのホールランタンの光源部が開位置にある状態を示す図３と同様の断面図である。
【発明を実施するための形態】
【０００９】
以下、この発明の実施の形態について説明する。
【００１０】
実施の形態１．
図１〜５にはこの発明のエレベータのホールランタンの一実施形態を示す。図１および２において、エレベータは、建物の壁１に取り付けられて乗場２の出入口３を形成する三方枠４と、出入口３を開閉するドア５と、壁１に取り付けられた呼びボタン６とを備えている。三方枠４は、それぞれ板金折り曲げ加工などによって形成された断面形がコ字型のほぼ箱形あるいは溝形の２本の縦枠７と、同様の横枠８とを門形に結合して構成された枠組体である。三方枠４の縦枠７の上部には、乗場２の乗客にかごの到着を点灯によって知らせるエレベータのホールランタン９が設けられている。
【００１１】
エレベータのホールランタン９は、図２に示すように、三方枠４の縦枠７を一部分を切りとって開口１０を形成し、開口１０を開閉できるように蝶番１１によって取り付けられた光透過性の開閉パネル１２と、縦枠７の内部に配置されてこの開閉パネル１２を照射するＬＥＤやランプ等の光源１３と、開閉パネル１２を三方枠４に対して閉位置に保持する施錠装置１４とを備えている。開閉パネル１２は、蝶番１１によって三方枠４の縦枠７に連結された板金折り曲げ加工によって形成したパネル本体１５と、パネル本体１５の切欠部分に嵌め込まれるようにして取り付けられた透光性のアクリルブロック等の光透過性レンズ１６とを備えている。三方枠４の縦枠７と開閉パネル１２との間には、図３にも示すように、蝶番１１を可動にするための蝶番部分の間隙１７が設けられている。
【００１２】
開閉パネル１２および蝶番１１は、開閉パネル１２が乗場２の側、すなわちアクセスの困難な昇降路側ではなく、作業員が乗場２側から容易に開閉作業およびその後の保守点検作業ができる側に開くように、三方枠４の縦枠７の乗場２に面する側に配置されている。図示の例では建物の壁１に直角方向で三方枠４の出入口３を形成する面に設けられているが、建物の壁１に平行な面に設けることもできる。従って、縦枠７と開閉パネル１２との間の間隙１７も縦枠７の乗場２の側にあって、この間隙を通して挿入できる解錠ロッドなどの工具１８によって施錠装置１４を乗場２の側から開操作できるようになっている。
【００１３】
図３〜５に詳細構造を示すように、エレベータのホールランタン９を取り付ける縦枠７は、建物の壁１に固定された固定板１９および２０に取り付けられている。縦枠７の内側で開口１０に対応する位置すなわち開閉パネル１２に対面する位置には、塞ぎ板２１が設けられていて、塞ぎ板２１にはピン２２を中心に回動可能に取り付けられ、ばね２３によって常時施錠位置に偏倚させられたレバー２４が設けられている。レバー２４は、開閉パネル１２が図３の閉位置にあるときに開閉パネル１２のフック２５に係合する係合端２６と、図３に示すように蝶番部分の間隙１７を通して挿入できる工具１８によって開操作される操作端２７とを持っている。
【００１４】
建物の壁１に固定された固定板１９に取り付けられた塞ぎ板２１の内面には、蝶番１１から遠い側に永久磁石２８が取り付けられていて、開閉パネル１２を閉位置に磁気吸引力によって保持できるようにしてある。永久磁石２８による保持によって、開閉パネル１２のがたつきを無くすことができる。この永久磁石２８の代わりに、それぞれ多数の弾性係合片が植え込まれたテープ状の二枚のシート部材を互いに押しつけて係合片を互いに絡み合わせて接合する貼着帯を用いることもできる。
【００１５】
開閉パネル１２のパネル本体１５に設けた切欠部に内側から嵌め込まれた光透過性レンズ１６は、外表面がパネル本体１５の乗場２に面する表面に対して平行だが僅かに突出した状態でボルト等の締結具２９によってパネル本体１２の内面に固定されている。このように、光透過性レンズ１６の外表面は、パネル本体１５の表面の一部を構成している。
【００１６】
パネル本体１２の内面にはまた、それぞれ板金加工により形成され、パネル本体１５から立ち上がった仕切壁３０と、仕切壁３０に蝶番３１で回動可能に取り付けられた開閉蓋３２とを備えた光源収容部３３が取り付けられている。開閉蓋３２の内面にはさらに、光源１３を光透過性レンズ１６の光入射面側に対向する位置に支持する支持ブラケット３４が取り付けられていて、開閉蓋３２が図３および４に示すような開閉パネル１２に対して閉位置にあるときには、光源１３が光透過性レンズ１６の光入射面を照射する照射位置となり、図５に示すような開位置にあるときには、光源１３が光源収容部３３から取り出されて乗場２側から容易にアクセスできるアクセス位置に動いた展開位置となるようにしてある。開閉蓋３２には、また開閉蓋３２が閉位置にあるときに仕切壁３０にねじ係合して開閉蓋３２を保持する止めねじあるいは永久磁石などの締結具３５が設けてある。
【００１７】
このようなエレベータのホールランタンにおいては、図３に示す状態でエレベータの通常運転を行うことができる。この場合、建物の壁１と三方枠４との間に解錠用の工具１８を差し込むための間隙を必要とせず、建築の施工状況に左右されることがなく、またデザイン上の自由度が高く優れた美的処理を行うことができる。また、解錠用の工具１８を差し込むための間隙１７が、開閉パネル１２および蝶番１１と共に、開閉パネル１２が乗場２の側、すなわち作業員が乗場２側から容易に開閉作業およびその後の保守点検作業ができる側に開くように、構成されているので、例えばエレベータピット内で脚立を用いた作業などを行う必要がなくなり、作業の時間および労力を大幅に短縮することができる。
【００１８】
すなわち、図３において、光源１３を支持する開閉蓋３２は仕切壁３０に締結具３５で保持されて開閉パネル１２に対して閉位置にあって、光源１３は光透光性レンズ１６を照射して乗場２に点灯していることを報知できる照射位置に置かれている。開閉パネル１２は、閉位置にあって、パネル本体１５のフック２５に施錠装置１４のレバー２４の係合端２６がばね２３によって係合させられていて開閉パネル１２を閉位置に保持している。また永久磁石２８も磁気吸引力により開閉パネル１２を閉位置に保持している。
【００１９】
このようなエレベータのホールランタンにおいて、光源１３の交換などの保守作業を行う場合、図３の想像線で示すように、解錠ロッドなどの工具１８を縦枠７とパネル本体１５との間に形成された蝶番部分の間隙１７から挿入して、施錠装置１４のレバー２４の操作端２７に係合させて、レバー２４をばね２３のばね作用に抗してピン２２回りに回転させて係合端２６をフック２５から外して開閉パネル１２を機械的拘束から解放する。次に蝶番１１を中心に、永久磁石２８の磁気吸引力に抗して手で開閉パネル１２を回動させて図４に示すような開位置にする。次に締結具３５を緩めて蝶番３１回りに開閉蓋３２を回動させると、図５に示すように光源１３が乗場２の方に突き出された展開位置となる。この展開位置では、光源１３等の機器の保守点検を乗場２から容易に行うことができる。
【００２０】
エレベータのホールランタンにおいては、施錠装置１４の開閉操作を、三方枠４と開閉パネル１２との間の間隙１０を通して挿入できる工具１８によって乗場２側から容易に行うことができる。この間隙１０は蝶番部分に設けられる蝶番１１の開閉に必要な間隙を利用したものであるので、デザイン上好ましくない間隙を余分に設ける必要がない。また開閉パネル１２は、施錠装置１４の他に永久磁石２８によっても閉位置に保持されるので、この部分が縦枠７に対してがたつくようなことがない。光源１３が、開閉パネル１２に取り付けられていて、開閉パネル１２に対して可動で、光透過性レンズ１６を照射する照射位置と、保守点検に好都合な展開位置とに展開できるため、作業を容易かつ迅速に行うことができる。
【００２１】
以上に図示して説明したエレベータのホールランタンは単なる例であって様々な変形が可能であり、またそれぞれの具体例の特徴を全てあるいは選択的に組み合わせて用いることもできる。
【産業上の利用可能性】
【００２２】
この発明はエレベータのホールランタンに利用できるものである。
【符号の説明】
【００２３】
１  壁、２  乗場、３  出入口、４  三方枠、５  ドア、６  呼びボタン、７  縦枠、８  横枠、９  ホールランタン、１０  開口、１１  蝶番、１２  開閉パネル、１３  光源、１４  施錠装置、１５  パネル本体、１６  光透過性レンズ、１７  間隙、１８  工具、１９  固定板、２０  固定板、２１  塞ぎ板、２２  ピン、２３  ばね、２４  レバー、２５  フック、２６  係合端、２７  操作端、２８  永久磁石、２９  締結具、３０  仕切壁、３１  蝶番、３２  開閉蓋、３３  光源収容部、３４  支持ブラケット、３５  締結具。
【図１】
2011001176.tif 000003
【図２】
2011001176.tif 000004
【図３】
2011001176.tif 000005
【図４】
2011001176.tif 000006
【図５】
2011001176.tif 000007